(57)【特許請求の範囲】
【請求項１】
ベッドのマットレス上において使用するための脱着可能なシーツシステムであって、
マットレスの周囲に固定されるように構成及び配置され、前記マットレスの第２上面を被覆する第１上部と前記マットレスの第２底面に隣接する第１底部とを備えたフィットシーツと、
前記マットレスの前記第２上面の実質的な部分を被覆するように構成及び配置される取外可能シートと、
前記取外可能シートの第３底面の周縁部で、且つ、前記フィットシーツの第１上部に対応する位置に配設され、前記取外可能シートの周縁部を前記フィットシーツに脱着可能に取り付けて、前記取外可能シートを前記フィットシーツの平面に沿って実質的に不動にするための第１のフック及びループ式固定手段と、を含み、
前記フィットシーツの各端部寄りの位置には、前記フィットシーツの前記第１底部において前記フィットシーツの対向する平行な辺に取り付けられた第１バンドと、前記第１バンドから前記第１バンドに近い前記マットレスの角部に隣接する前記フィットシーツの第１底部にまで延びる第２バンドと、前記第１バンドから前記第１バンドに近い前記マットレスの反対側の角部に隣接する前記フィットシーツの第１底部にまで延びる第３バンドとが設けられているシステム。
【請求項２】
前記取外可能シートは、第１底部防水層、中間吸収層、及び上部布地層を備えた防水パッドを含み、
前記防水パッドは、前記防水パッドの第４底面に設置されている前記第１のフック及びループ式固定手段のため前記マットレスに沿って実質的に不動である、請求項１に記載のシステム。
【請求項３】
前記取外可能シートは、前記取外可能シートを前記フィットシーツの第１上部に取り付ける前記第１のフック及びループ式固定手段に沿って周縁部を画定する、請求項１に記載のシステム。
【請求項４】
前記取外可能シートは、前記マットレスの前記第２上面の実質的な部分を被覆し、
防水パッドと、前記防水パッドを前記取外可能シートの第３上面に脱着可能に取り付けるための前記取外可能シートの第３上面に配置される第２のフック及びループ式固定手段とをさらに含む、請求項１又は３に記載のシステム。
【請求項５】
前記防水パッドは、第１底部防水層、中間吸収層、及び上部布地層を含む、請求項４に記載のシステム。
【請求項６】
前記取外可能シートは、前記取外可能シートが前記フィットシーツに取り付けられるときに前記フィットシーツから前記取外可能シートの取り外しを簡易にする開口部を前記フィットシーツとの間に画定する変形側縁部を備える、請求項１から５のいずれか１項に記載のシステム。
【請求項７】
前記取外可能シートは、ユーザがベッドから支障なく出ることができるように、前記マットレスの縁部に覆いかかり、前記マットレスの側縁部に沿って前記フィットシーツに取り付けられる少なくとも１つの縁部を備える、請求項１から６のいずれか１項に記載のシステム。
【請求項８】
前記取外可能シートは、前記フィットシーツに取り付けられない少なくとも１つの角部を備える、請求項１から７のいずれか１項に記載のシステム。
【請求項９】
前記取り付けられない角部のそれぞれは、前記フィットシーツに取り付けられた前記取外可能シートの部分に隣接する、請求項８に記載のシステム。
【請求項１０】
前記防水パッドは、同じ防水パッドが異なるサイズの前記マットレスに再び用いられることができるように、前記フィットシーツから取り外されて異なるサイズのマットレス用に設計された第２のフィットシーツに脱着可能に取り付けられることが可能である、請求項２に記載のシステム。
【請求項１１】
前記フィットシーツ及び前記取外可能シートの少なくともいずれか１つにモチーフ的デザインが適用され、前記取外可能シートと前記フィットシーツとが共に連結されるときにモチーフが完成され、前記取外可能シートは種々のモチーフを提供する目的で第２の取外可能シートに交換されることが可能である、請求項１から１０のいずれか１項に記載のシステム。
【発明の詳細な説明】
【技術分野】
【０００１】
本発明はベッド、ベッドシーツ、及び防水のベッド用布はくに関する。
【背景技術】
【０００２】
マットレスのカバー、シーツ、或いはパッドはマットレスを覆うために広く使用されている。カバー、シーツ、及びパッドには様々なスタイルがあり、いくつかの異なる目的で用いられる。その一部は就寝する人に対してさらなるクッション性及びサポート性を提供し、またその他は追加の層として機能して、マットレスをより清潔に保つ。
【０００３】
乳幼児や寝たきりの人を含む一部の人々は、腸や膀胱のコントロールが難しく、故にマットレス又はマットレスの上部構成要素（即ち、カバー、シーツ、及び／又はパッド）を汚してしまうことがある。そのため、マットレスの上部構成要素を一日に数回換えることが必要になる。カバー、シーツ及び／又はパッドをマットレスにぴったりと合わせるように配置するために必要な労力を考えると、この数回の交換は面倒であり、また時間がかかる。このことは、その貴重な時間の多くがこの仕事に費やされなければならない介護者にとっては特にあてはまる。
【０００４】
さらに、上部構成要素の適合性及び設計は、ベッドを使用する人によっては重要である。ベビーベッドでは、特定の安全性の問題が設計において考慮される必要がある。乳幼児突然死症候群（ＳＩＤＳ）を防止するための設計は最も重要である。ＳＩＤＳは、米国において、生後１ヶ月〜１歳の乳児の主要な死因となっている。ＳＩＤＳは一疾患又は疾病ではなく、１歳より下の子供が突然死亡し、死亡現場検証、検死、及び子供の医療履歴の調査がすべておこなわれた後に正確な原因が見つからない場合に下される診断である。ＳＩＤＳが予兆なく起こり得るということは、両親にとって特に不安のもととなる。現在では、米国において毎年約２３００人の乳児がＳＩＤＳにより亡くなっている。ＳＩＤＳは、最も一般的には生後１ヶ月〜４ヶ月の乳児によくない影響を与え、事例の９０％は生後６ヶ月以下の乳児に関わる。
【０００５】
ＳＩＤＳのリスクやその他の美的配慮の観点から、寝具の構成要素（パッド、マットレス、上部シーツ、ベッドカバーなど）を選択するときに多くの考慮すべき点がある。厚い又はゆるくフィットするカバー、シーツ、及び／又はパッドは、特に乳幼児の顔がこれらのものに押し付けられる又はこれらの近くにある場合に、乳幼児の呼吸を妨げ得る。故に、パッド又はマットレスがベビーベットにおいて適切にフィットすることは重要である。任意の隙間又は穴は、乳児の頭部近くや頭部周囲の空気の流れが低下し得ることから、乳児に危険をもたらし得る。また、ベビーベッドのパッド又はマットレスは硬いものである必要がある。柔らかいマットレスは、乳児の頭部又は顔の形状に合致し、窒息のリスクを増加させ得る。また、ベッドでの狭窄、窒息、又は絞扼のリスクを上げ得るフィットしない寝具類又は任意の物品が存在しないことが重要である。
【０００６】
寝具類の設計において考慮すべき他の重要な点は、十分に動くことが難しい人における寝具の影響である。床ずれとしても知られる圧迫潰瘍は、人がその体に受ける圧力を移動させられないときに起こる一般的な皮膚の病態である。床ずれは老人病の患者に特に一般的であり、高齢になることで床ずれの治癒が遅くなるにつれ、高齢者にとっては特に問題になる。
【０００７】
老人病の医薬の分野において、特に弱っている高齢の人々及び車いすに長時間座ったままの人々について、床ずれの防止は困難であり得る。床ずれの主要な原因は、身体の局所的な領域に長く圧力がかかることであるが、床ずれはまた圧力と摩擦との組合せによっても引き起こされ得る。このため、ぴったりとフィットしたシーツは、床ずれを防ぐために、動作に制限のある人にとって重要である。
【０００８】
その他の考慮すべきことは、年齢が高く身体的に障害があり、動作が難しい人が自分で寝具を変えることを所望するであろうということであり、容易にそのようにできる設計が必要とされる。
【発明の概要】
【発明が解決しようとする課題】
【０００９】
故に、先行技術における短所を解決するのでなければ減ずる、安全で、容易に取り外し及び再使用可能な防水パッドが必要とされる。
【課題を解決するための手段】
【００１０】
本発明は、安全で、容易に取り外し及び再使用可能である、マットレスに取り付けられるシーツ及びパッドシステムに関する。本発明のパッドは、緩んだシーツ及び寝具が引き起こし得る摩擦を低減するためのぴったりとフィットした脱着可能なパッドである。パッドは頻繁に取り替えられ、汚れを除かれ、交換されることができる。一実施形態では、パッドは、ユーザの骨盤及び臀部の領域に近接するマットレスの部分のみを被覆する防水パッドである。このため、ユーザは、パッドをひとつのフィットシーツから取り外し、異なるサイズのフィットシーツに任意的に異なる方向で取り付けることができる。この方法では、ユーザは、同じパッドを異なるサイズのマットレスに使用することができる。
【００１１】
さらに、本明細書に記載される本発明において、ユーザは、頻繁にマットレスを持ち上げる又はマットレスの角部周辺の上部シーツを動かす必要なく寝具を取り外すことができる。そのため、本発明は、手が器用に動かない高齢者及び身体的に障害を持つ人にとって特に有用である。
【００１２】
本開示の第１の態様において、本発明はベッドにおいて使用するための脱着可能なシーツシステムを提供し、該システムは、マットレスの周囲に固定されるように構成及び配置され、マットレスの第２上面に隣接する第１上部とマットレスの第２底面に隣接する第１底部とを有するフィットシーツと、マットレスの第２上面の実質的な部分を被覆するように構成及び配置される敷きパッドと、敷きパッドをフィットシーツに脱着可能に取り付けるための第１の固定手段とを含む。
【００１３】
本開示の第２の態様において、本発明はベッドにおいて使用するための脱着可能なシーツシステムを提供し、該システムは、マットレスの周囲に固定されるように構成及び配置され、マットレスの第２上面に隣接する第１上部とマットレスの第２底面に隣接する第１底部とを有し、マットレスの実質的な部分を被覆するフィットシーツと、マットレスの第２上面の部分を被覆するように構成及び配置され、底部防水層と中間吸収層と上部布地層とを備えた防水パッドと、防水パッドをフィットシーツに脱着可能に取り付けるための第１の固定手段とを含み、該防水パッドは、防水パッドの第３底面の縁部に設置された第１の固定手段によって、マットレスに沿って実質的に不動であり、また、ユーザの臀部及び骨盤の領域に近接して配置される。
【００１４】
本発明の実施形態は以下の図面を参照して記載され、異なる図面の同じ参照符号は同様の構成要素を示す。
【図面の簡単な説明】
【００１５】
【図１】図１は、本発明の第１の実施形態における脱着可能なシーツシステムを表す。
【図２】図２は、本発明の第２の実施形態における脱着可能な防水パッドシステムを表す。
【図３】図３は、本発明の第３の実施形態における、脱着可能な防水パッドシステムと共に用いられる脱着可能なシーツシステムを表す。
【図４】図４は、本発明のさらなる実施形態における、脱着可能な防水パッドシステムと共に用いられる脱着可能なシーツシステムをより詳細に表す。
【図５】図５は、本発明の他の実施形態における、マットレスに取り付けられたフィットシーツの底面図である。
【図６】図６は、本発明のさらなる実施形態における、脱着可能な防水パッドシステムを表す。
【図７】図７は、本発明のさらに他の実施形態における、脱着可能な防水パッドシステムと共に用いられる脱着可能なシーツシステムを表す。
【図８】図８は、本発明のさらなる実施形態における、相互交換可能なモチーフ的デザインを有する脱着可能なシーツシステムを表す。
【図９】図９は、本発明の別の実施形態における特徴を示す容易に取り外せる脱着可能なシーツシステムとベッドとを表す。
【発明を実施するための形態】
【００１６】
図面は正確な縮尺率ではなく、一部の特徴は特定の構成要素の詳細を示すために誇張されるか又は最小限で表われされることがあり得る一方で、関連する構成要素は新規の態様が不明瞭になることを防ぐために省略され得る。
【００１７】
つまり、本明細書に記載される特定の構造上及び機能上の詳細は、特許請求の範囲を制限するものとして理解されるべきではなく、特許請求の範囲の基礎となるものとしてのみ理解され、また、本発明を様々に用いる目的で当業者へ教示するための典型となる基礎として理解されるべきである。
【００１８】
本発明はベッドシーツとマットレスパッドの両方の交換物品を提供する。本明細書に記載されるパッドの特性は、下のマットレスを起こり得る汚れから保護することである。パッドが汚れると、それが取り付けられたシーツから単に取り外され、洗われ、そして再使用される。さらに本発明は、ユーザが複数のサイズのベッドに使用可能な単一の防水パッドを購入することができるような、脱着可能なシート及び防水パッドシステムを提供する。
【００１９】
図１〜９は、本発明の種々の実施形態の概略的な図を示し、ここでさらに詳細に記載される。
【００２０】
図１を参照すると、本発明では、マットレス１００の全体または実質的な部分を被覆するように設計された敷きパッド１２０（取外可能シート）が意図される。マットレス１００は、例としてベビーベッド（図示せず）などのベッドフレーム（図示せず）に任意的に支持され得る。
【００２１】
マットレス１００はフィットシーツ１１０によって被覆される。フィットシーツ１１０は、図１に示されるように、マットレス１００の側面部分と上面の縁部とのみを被覆するように設計されるか、又はマットレス１００の上面全体を被覆するように設計されることが可能である。フィットシーツ１１０は、以下にさらに詳細に記載される様々な手段を介してマットレス１００に固定されてもよい。フィットシーツ１１０をマットレス１００に固定するための固定手段は、上述されることを制限することなく、フィットシーツ１１０の底部がマットレス１００の底面を覆い保持することを可能にする弾性バンドシステムを含む、当該技術において既知の手段を含んでもよい。
【００２２】
フィットシーツ１１０は、敷きパッド１２０をフィットシーツ１１０に固定する第１の固定手段１３０Ａ、１３０Ｂを備える。第１の固定手段１３０Ａ、１３０Ｂは種々の機構によって機能してもよい。例として、フック及びループ式の固定機構（ベルクロ（登録商標）など）が用いられてもよい。
【００２３】
本発明の一実施形態において、第１の固定手段１３０Ａ、１３０Ｂは、フィットシーツ１１０の上部に取り付けられた下部要素１３０Ａと、敷きパッド１２０の底面に取り付けられた上部要素１３０Ｂとを備えた２部分からなる固定システムである。第１の固定手段１３０Ａ、１３０Ｂの上下部要素は、敷きパッド１２０をフィットシーツ１１０に固定するように共に機能するので、敷きパッド１２０はフィットシーツ１１０に対して動かない。これは、人が脱着可能なシーツシステムを使用する際に、敷きパッド１２０の動きによって起こる摩擦を最小限化することに役立つ。図１に示される実施形態では、２部分からなる固定システムの下部要素１３０Ａは、フィットシーツ１１０の上部におけるマットレス１００の周囲に配置されるように構成される。２部分からなる固定システムの相補的な上部要素１３０Ｂは、フィットシーツ１１０の上部における２部分からなる固定システムの下部要素１３０Ａが敷きパッド１２０の底面における上部要素１３０Ｂと対応するように、敷きパッド１２０の底面の周囲を覆う。
【００２４】
本発明の一実施形態において、敷きパッド１２０をフィットシーツ１１０と連結するために、フック及びループ式のファスナー手段が、第１の固定手段１３０Ａ、１３０Ｂとして用いられる。フック及びループ式のファスナーにおけるフック部は、２部分からなる固定システムの下部要素１３０Ａとなり、一方でフック及びループ式のファスナーにおけるループ部は、２部分からなる固定システムの上部要素１３０Ｂとなり得る。２部分からなる固定システム１３０Ａ、１３０Ｂにおいて、マットレス１００の各縁部で、フック及びループ式のファスナーのストリップ又はフック及びループ式のファスナーの連続的なストリップ、或いは、当業者によって直ちに理解されるような他のいくつかの固定部構成が使用されてもよい。そのようなフック及びループ式のファスナーを使用することで、実質的に不動である睡眠用の配置がユーザに提供され、簡易な取り外し及び交換パッドシステムがさらに提供される。しかしながら、ぴんと張って、敷きパッド１２０とフィットシーツ１１０との間でぴったりとフィットするために、当該技術において既知である任意の他の代替的な固定手段が用いられてもよい。
【００２５】
代替的な固定手段としてジッパー装置、結び紐システム又はボタンを含んでもよい。さらに、第１の固定手段１３０Ａ、１３０Ｂは、フィットシーツ１１０の縁部又は敷きパッド１２０の縁部に限定される必要はない。むしろ、第１の固定手段１３０Ａ、１３０Ｂは、フィットシーツ１１０の上部全体と敷きパッド１２０の底面全体を覆ってもよい。そのような本発明の実施形態では、フィットシーツ１１０に固定されるときに、敷きパッド１２０の不動性が実質的に向上され得る。しかしながら、本発明の一実施形態において、第１の固定手段１３０Ａ、１３０Ｂは、実質的に不動の敷きパッド１２０を構成して、穴、間隙、又はその他の開口部分を回避するために、敷きパッド１２０及びフィットシーツ１１０の縁部に意図的に設置される。
【００２６】
本発明の一実施形態において、敷きパッド１２０は、単一のパッド層と固定手段からなる。敷きパッドの構成に用いられ得る材料は、前述されたことを限定することなく、ナイロン、ポリエステル、綿、レーヨン、バンブー、ビスコース、麻、及び絹を含む。
【００２７】
本発明の任意の実施形態において用いられるフィットシーツは、防水であるように設計され、図２に示される防水パッドと類似する防水層を備え得るということが理解される必要がある。より詳細には、フィットシーツは防水性材料で作製され得る。この場合、敷きパッドは防水層を含まなくてもよい。さらに明確にすると、フィットシーツは、敷きパッドがその構成においていずれの防水材料も必要としないように、防水材料を含んでもよい。さらにこの代替形は防水性を提供する。
【００２８】
図２は、本発明の他の実施形態を示す。この実施形態では、（図１に示される）敷きパッド１２０に代わって防水パッド２００（取外可能シート）が用いられる。
【００２９】
図２に示される本発明の実施形態では、マットレス１００はフィットシーツ２４０によって被覆される。防水パッド２００は、第１の固定手段２５０によってフィットシーツ２４０に固定される。第１の固定手段２５０は、図１に関して上述で詳細に記載された第１の固定手段と同様の態様で機能することが可能である。
【００３０】
防水パッド２００は、マットレス１００の上面とフィットシーツ２４０の上部とを全体的に覆うように構成及び配置されてもよい。代替的に、防水パッド２００は、マットレス１００とフィットシーツ２４０との上面の一部のみを覆ってもよい。防水パッド２００は丸形又は矩形の角部を備えてもよい。一実施形態では、防水パッド２００は、底部防水層２１０、中間吸収層２２０、上部布地層２３０である３層からなる。これらの層は実質的に単一の物品を形成し得る。
【００３１】
防水パッド２００の高さ及び肌触りは重要であり、例えば過剰に厚い又は柔らかいパッドはユーザに不快感及び刺激をもたらし得る、ということが言及される必要がある。故に、防水パッド２００の全体的な厚みは、一実施形態において、約６ｍｍである。さらに、防水パッド２００は、中間吸収層２２０が一定の高さ又は厚みで均一に分散してとどまることを確実にするために、意図的に特定のパターンで縫製されてもよい。これらのデザイン的特徴によって、中間吸収層２２０の可動性がさらに低減される。縫製パターンは様々なパターンであり得るということは当業者には明白である。例として、輪、ダイアモンド、及び矩形などの縫製又はキルト状のパターンが用いられてもよい。さらに、連続又は非連続の縫製パターンが使用されてもよい。
【００３２】
防水パッド２００の底部防水層２１０は、下のマットレス１００とフィットシーツ２４０とを起こり得る汚れから保護する。底部防水層２１０は、任意のタイプの耐水性又は防水性材料から作製されることが可能である。一実施形態において、使用材料は、ポリエステルと軟質ポリ塩化ビニル（ＰＶＣ−Ｐ）との混合物などの防水性テント生地である。用いられ得るその他の材料は、エチレン酢酸ビニル（ＥＶＡ）、ポリエチレン酢酸ビニル（ＰＥＶＡ）、ポリ酢酸ビニル（ＰＶＡ）、ポリビニルブチラール（ＰＶＢ）を含む。
【００３３】
防水パッド２００の中間吸収層２２０は、パッドシステムを使用する人による汚れ又は塵芥を保持する機能を担う。中間吸収層２２０は、流体吸収性である、任意のタイプの天然又は合成の材料から作製されることが可能である。一実施形態では、使用される材料はポリエステル及びビスコースレーヨンの合成混紡である。
【００３４】
上部布地層２３０は、ユーザにとっての快適性及び美的探求力を向上させるために用いられる。上部布地層２３０はフィットシーツ２４０と同様の材料で作製されて、その２つの色、肌触り、及びデザインが合致し、パッドシステム全体の外観が美的に快いものであることが可能である。故に、上部布地層２３０は任意のタイプの天然布地材料又は合成布地材料から作製されることができる。一実施形態において、使用される材料は、毎日の使用において優れた頑強性を維持するため、ポリエステル材料である。使用され得るその他の材料は、ナイロン、綿、レーヨン、バンブー、ビスコース、麻、及び絹を含む。
【００３５】
さらに、防水パッド２００の全体的な厚みは、約１／４インチから約１／２インチまで程であってよい。しかしながら、当然のように他の寸法であってもよい。
【００３６】
図３は敷きパッドシステムを示し、マットレスはフィットシーツ３１０で被覆される。敷きパッド３２０（取外可能シート）は、上述のように第１の固定手段によってフィットシーツ３１０に固定される。敷きパッド３２０の上面は、防水パッド３３０（取外可能シート）を敷きパッド３２０に固定するための第２の固定手段（図４に図示）をさらに含む。
【００３７】
第２の固定手段は、図１に関して記載された第１の固定手段と実質的に同様に機能することが可能である。しかしながら、第２の固定手段は防水パッド３３０を敷きパッド３２０に固定する。具体的には、第２の固定手段は、敷きパッド３２０の上面に取り付けられた下部要素と防水パッド３３０の底面に取り付けられた上部要素とを備えた２部分からなる固定システムであり得る。第２の固定手段の上部及び下部要素は、防水パッド３３０を敷きパッド３２０に固定するように共に機能するので、防水パッド３３０が敷きパッド３２０に対して動かない。
【００３８】
本発明の一実施形態において、第２の固定手段は、ユーザの臀部及び骨盤の領域に対応する敷きパッド３２０の領域に局所化される。つまり、防水パッド３３０によって、マットレスの最も汚れやすい領域を汚れから守ることが確実になる。また、防水パッド３３０は、ユーザが同じ防水パッド３３０を複数の異なるサイズのマットレス、敷きパッド、及びフィットシーツに用いることができる寸法に制限される。一実施形態において、防水パッドは厚み約６ｍｍ、長さ約３０ｃｍ、及び幅約３０ｃｍである。
【００３９】
上述されるように、防水パッド３３０の寸法のため、ユーザは同じ防水パッド３３０を複数の異なるサイズのマットレス、敷きパッド、及びフィットシーツに使用できる。例として、ユーザが乳幼児であるときにベビーベッドにおいて使用するため、本発明がまず取得されてもよい。ベビーベッドで使用される場合、防水パッド３３０は実質的にマットレス全体を被覆し得る。ユーザが成長すると、例えばシングルサイズのベッドなどのより大きいベッドが必要となる。ユーザは、まったく新しいシステムを購入する必要はなく、新しいマットレスのサイズに対応する第２のフィットシーツ及び／又は第２の敷きパッドを単に購入すればよい。そして防水パッド３３０は、ユーザの臀部及び骨盤の領域に概して近接するマットレスの領域が防水パッド３３０によって保護されることを確実する方向で、第２のフィットシーツ又は第２の敷きパッドに固定されることが可能である。例として、シングルサイズのマットレスでは、シングルサイズのマットレスの中心で長さ方向に防水パッド３３０を配置させてもよい。ユーザが再びより大きいダブル又はクイーン（フル）サイズのマットレスに拡張することにした場合、同じ防水パッド３３０は新しいサイズのマットレスに対応する第３のフィットシーツ及び敷きパッドと共に使用されることが可能である。一実施形態において、防水パッド３３０を第３のフィットシーツ又は敷きパッドに固定するために用いられる固定手段は幅方向に方向づけられる。この方向のため、防水パッド３３０が第３のフィットシーツ又は敷きパッドに固定されるときに、ユーザの臀部及び骨盤の領域に概して近接するマットレスの領域に局所化されることが確実になる。このように、本発明は、ユーザが同じ防水パッド３３０を複数のサイズのマットレス、フィットシーツ、及び敷きパッドに使用することを可能にするシステムを開示する。さらに、本発明によって、同じ防水パッド３３０が異なるユーザによって複数のサイズのマットレス、フィットシーツ、及び敷きパッドに使用されることが可能になる。
【００４０】
当業者は、防水パッド３３０と敷きパッド３２０との配置の順番を逆にすることができ得るということを理解するであろう。この逆のシステムでは、防水パッド３３０は、第１の固定手段によってフィットシーツ３１０に取り付けられる。そして敷きパッド３２０は、第２の固定手段によって、防水パッド３３０又はフィットシーツ３１０のいずれかに取り付けられる。つまり、敷きパッド３２０は、防水パッド３３０をベッドから取り外す必要なく、ベッドから取り外されることができる。
【００４１】
図４は、図３に示される脱着可能なシーツシステムのより詳細な図である。示されるように、フィットシーツ４１０は、第１の固定手段４３０Ａ、４３０Ｂによって敷きパッド４２０（取外可能シート）に固定される。本実施形態において、第１の固定手段４３０Ａ、４３０Ｂは、フィットシーツ４１０の上部に取り付けられた下部要素４３０Ａと、敷きパッド４２０の底面に取り付けられた上部要素４３０Ｂとを備えた、２部分からなる固定システムである。前述されたように、第１の固定手段４３０Ａ、４３０Ｂの上部及び下部要素は、敷きパッド４２０をフィットシーツ４１０に固定するように共に機能するので、敷きパッド４２０がフィットシーツ４１０に対して動かない。
【００４２】
防水パッド４４０（取外可能シート）は底部防水層４５０を備え、第２の固定手段４６０Ａ、４６０Ｂによって敷きパッド４２０の上面に固定される。第２の固定手段は、第１の固定手段４３０Ａ、４３０Ｂと実質的に同様に機能することが可能である。
【００４３】
本明細書に記載される本発明の種々の実施形態に示されるように、フィットシーツは、マットレス周囲に固定されるように構成及び配置される。フィットシーツをマットレスに固定するために用いられる固定機構は、図５に関して記載される。
【００４４】
図５は、本発明の一実施形態におけるマットレス１００に取り付けられたフィットシーツ５１０の底面図である。示されるように、フィットシーツ５１０は、マットレス１００の底面に隣接する底部と、マットレス１００の上面に隣接する上部とを備える。マットレスの側面部は、図６により明確に示されるように、フィットシーツ５１０によって覆われる。フィットシーツ５１０は、フィットシーツをマットレス１００の周囲とマットレス１００の底面の周囲とに設置するための第３の固定手段５２０を備える。第３の固定手段５２０は、マットレス１００に対してフィットシーツ５１０をぴったりと保持するように用いられる。示されるように、第３の固定手段５２０において弾性バンドの固定システムが使用されてもよい。
【００４５】
本発明のさらなる実施形態では、第３の固定手段５２０は、フィットシーツ５１０をマットレス１００の底面に固定するための単一性の弾性バンド又はジッパーであってよい。また、フィットシーツ５１０をマットレス１００に対してぴったりと保持するためのその他の固定手段が用いられてもよく、これはボタン、スナップ、結び紐、及び／又はそれらの固定手段の組合せを含む。
【００４６】
図５に示される実施形態において、第３の固定手段５２０は、フィットシーツ５１０の底部の平行な辺に取り付けられたバンド５３０を含む。図５に示されるように、バンド５３０はまた、フィットシーツ５１０の角部に取り付けられてもよい。このバンド５３０は、マットレス１００に対してフィットシーツ５１０を固定する補助になるので、フィットシーツ５１０のマットレス１００に対する移動が起こりにくい。このため、ユーザが就寝位置を変えるときの寝具の動きに関連する摩擦をいくらか低減する。
【００４７】
フィットシーツ５１０は任意のタイプの天然布地材料、合成布地材料、又は吸湿拡散材料から作製されることができることが言及される必要がある。例として、使用される材料は、毎日の使用において優れた頑強性を維持するため、ポリエステル材料であり得る。さらに、フィットシーツ５１０は、レーヨン、羊毛、綿、バンブー、ナイロン、ビスコース、麻、絹、又はこれらの材料の任意の混合物から作製されてもよい。
【００４８】
図６は本発明の他の実施形態を示す。フィットシーツ６１０は、第１の固定手段６３０Ａ、６３０Ｂによってフィットシーツ６１０の上部に連結された防水パッド６２０（取外可能シート）を伴って、シングルサイズのマットレスに固定される。本実施形態では、第１の固定手段６３０Ａ、６３０Ｂの下部要素６３０Ａは、フィットシーツ６１０の上部の中央部分に配置される。第１の固定手段６３０Ａ、６３０Ｂの上部要素６３０Ｂは、防水パッド６２０の底面の周囲に沿って配置される。第１の固定手段６３０Ａ、６３０Ｂの上部要素と下部要素とが共に連結されるときに、防水パッド６２０とフィットシーツ６１０とは、取り外し可能に取り付けられることとなる。さらに、フラットシーツ６４０がフィットシーツ６１０と防水パッド６２０との部分を覆う。枕６５０はフィットシーツの上部の一端部に配置される。枕６５０は枕カバー６６０で覆われる。当業者は、枕カバー６６０が上述の固定手段と同様の固定手段によって枕６５０と連結され得るということを本開示から理解するであろう。具体的に、枕カバー６６０は、（図４に示される）防水パッド６２０又は敷きパッドシステムと同様に、枕６５０の上面に、そして枕カバー６６０の底面にも配置された固定手段によって、枕６５０と取り外し可能に連結されてもよい。つまり、枕カバー６６０が枕６５０から容易に取り外されることが可能になって、枕カバー６６０を洗いやすい。この実施形態はもともと成人用に設計されたものだが、本システムは、ＳＩＤＳを考慮すると枕の使用は推奨されないため新生児・乳児を除いて、あらゆる年齢のユーザに用いられることも可能である。
【００４９】
図７は、図６に関して記載されたパッドシステムの幾分異なる変形を示す。図７に示されるように、フィットシーツ７１０はマットレスに固定される。敷きパッド７２０（取外可能シート）は、フィットシーツ７１０の上部の周囲と敷きパッド７２０の底面の周囲とに配置された第１の固定手段７３０Ａ、７３０Ｂによってフィットシーツ７１０に連結される。フィットシーツ７１０と敷きパッド７２０とは、第１の固定手段７３０Ａ、７３０Ｂの上部要素と下部要素とが共に連結されるときに、取り外し可能に取り付けられる。さらに、防水パッド７４０（取外可能シート）は、第２の固定手段７５０Ａ、７５０Ｂによって敷きパッド７２０の上面に連結される。第２の固定手段７５０Ａ、７５０Ｂの下部要素７５０Ａは敷きパッド７２０の上面の中央部分に配置され、敷きパッド７２０の上面の中央部分は、ユーザの臀部及び骨盤の領域に概して近接する敷きパッド７２０の部分に対応する。第２の固定手段７５０Ａ、７５０Ｂの上部要素７５０Ｂは防水パッド７４０の底面の周囲に沿って配置される。防水パッド７４０と敷きパッド７２０とは、第２の固定手段７５０Ａ、７５０Ｂの上部要素と下部要素とが共に連結されるときに、取り外し可能に取り付けられることとなる。フラットシーツ７６０はフィットシーツ７１０、敷きパッド７２０及び防水パッド７４０の部分を覆う。さらに、枕７８０が敷きパッド７２０の一端部に配置される。枕７８０は枕カバー７９０で覆われる。上述されるように、枕カバー７９０は、枕カバー７９０を容易に取り外して洗いやすくするパッドシステムを組込むように設計されてもよい。
【００５０】
フィットシーツ、敷きパッド、防水パッド、枕カバー、及び種々の固定手段を含む、本発明によって意図されるすべての構成要素は、洗うことが可能な材料から作製されることができるということがさらに言及される必要がある。つまり、本発明は、簡単に取り外し、洗うことが可能なシーツシステムを提供し、本発明の構成要素は、通常の任意的な洗濯機及び乾燥機に耐え得るように作られる。
【００５１】
また本発明は、フィットシーツ、敷きパッド、又は防水パッドに適用されるモチーフ的デザインを有する実施形態も含む。例として、ユーザは様々なモチーフのついた種々の防水パッド又は敷きパッドを購入し、防水パッド又は敷きパッドを交換して種々のモチーフを表示させることができる。本発明の他の態様は、フィットシーツ、敷きパッド、及び防水パッドを、共に機能するモチーフを用いてデザインすることにある。
【００５２】
ここで図８を参照すると、敷きパッド８１０（取外可能シート）は人の姿８２０を示しており、人の身体が上述の第２の固定手段に封入される領域に表示される。そして防水パッド８３０（取外可能シート）は、種々の防水パッドが様々なファッションデザインを表して、敷きパッドのデザイン８２０と共に機能するようにデザインされ得る。例として、ファッションに興味のあるユーザは、ネクタイ姿のビジネスマンのデザインがついた防水パッド８３０や、蝶ネクタイ姿の人のデザイン８６０がついた別の防水パッド８５０（取外可能シート）を有してもよい。ユーザは、敷きパッド上にデザインされた人が衣服を着替えるように見えるように、防水パッド８３０、８５０を相互交換することができる。さらに、敷きパッド及び防水パッドは、特定の防水パッドと敷きパッドとが様々な祝祭日に関連して種々の時節に使用されることができるように、様々な色を用いてデザインされてもよい。例として、ユーザは、クリスマスのときに赤色の防水パッドと共に緑色の敷きパッドを、又は、ハロウィンのときにオレンジ色の防水パッドと共に黒色の敷きパッドを用いてもよい。用いられ得るその他のモチーフとして、スポーツ、動物、宇宙探索、２次的創作物、植物、スーパーヒーロー、漫画、季節、地理、及び形象を含むが、これに限定されない。種々のモチーフが本発明のフィットシーツ、敷きパッド及び／又は防水シートパッド要素にプリントされて、フィットシーツと敷きパッドとの間、フィットシーツと防水シートパッドとの間、敷きパッドと防水シートパッドとの間、又はフィットシーツ、敷きパッド、及び防水シートパッドの３つすべての間でモチーフが相互に機能し得るということを当業者は理解する。
【００５３】
図９は、本発明のさらなる実施形態における脱着可能なシーツシステムを示す。ここで、防水パッド９００（取外可能シート）は、変形角部要素９１０と、マットレスの側面に沿ってフィットシーツ９３０に接着する（マットレスはフィットシーツの下にある）変形側縁部９２０との２つの変形構成要素を備える。図９に見受けられるように、防水パッド９００はマットレスの側面に覆いかかり、マットレスの縁部ではなく、マットレスの側面上のフィットシーツに取り付けられるか又は接着される。他の変形構成要素は角部要素９１０である。防水パッドの４つの角のうちの１つ以上において、変形角部要素９１０はフィットシーツに固定されないか、又は取り付けられない。この構成により、防水パッド９００を取り替える人は、防水パッド９００とフィットシーツ９３０との間に単に手を差し入れて、交換のため、より容易に防水パッド９００を取り外すことができる。ここでは、防水パッド９００の変形角部要素９１０は直線状の縁部として提示されるが、より円形である縁部、又は異なる形状若しくはリッジが用いられてもよい。提示されるように、防水パッドの取り外しと交換とをよりしやすくするために、角部はフィットシーツに取り付けられないだけでなく、切り取られている。最適な結果を得るため、取り付けられない角部は、防水パッドがフィットシーツに取り付けられる部分に隣接する。
【００５４】
また、変形側縁部９２０は、マットレスの側縁部に隣接するフィットシーツ９３０に防水パッド９００を取り付けるために、本発明により提示されるものである。このため、ユーザは、防水パッドがマットレスの縁部に取り付けられるときに形成され得るリッジ又は隆起部に当面せずに変形側縁部に沿いにベッドから滑り出ることができる。高齢者又は身体に障害を持つユーザにとってこの実施形態は大変有用であり、マットレスの上面に沿ってパッドをフィットシーツに取り付けるときにわずかなリッジによってできる動作の障害物が低減される。
【００５５】
記載される脱着可能なシーツシステムはベッドで使用するために設計されているが、本発明はソファ、椅子、座席、及び枕に使用されることも可能である。
【００５６】
本発明を理解する者は、上述の代替的な構成及び実施形態、又は変形を想到し得り、そのすべては以下の特許請求の範囲に規定される本発明の範囲内にあることが意図される。
【図１】
0006580560.tif 000002
【図２】
0006580560.tif 000003
【図３】
0006580560.tif 000004
【図４】
0006580560.tif 000005
【図５】
0006580560.tif 000006
【図６】
0006580560.tif 000007
【図７】
0006580560.tif 000008
【図８】
0006580560.tif 000009
【図９】
0006580560.tif 000010